(57)【要約】【課題】エアドームの下端部を固定する際の制限を少なくする。【解決手段】エア吹込みにより凸状に変形されるエアドーム１の外周部を固定するための固定装置であって、上記エアドーム１を構成するシート５の外周部５ａとネット６の外周部６ａが巻き付けられる被巻付部材２０、２１と、上記被巻付部材２０、２１が入る凹溝１４、１５を底面１０ｂに有し、その底面１０ｂで該シート５の外周部５ａとネット６の外周部６ａを下側の被取付面４に押し付ける給排水可能な容器１０とを具備する。【選択図】図２
2007284944.tif 000002
【特許請求の範囲】
【請求項１】
エア吹込みにより凸状に変形されるエアドームの外周部を固定するための固定装置であって、
上記エアドームの外周部が巻き付けられる被巻付部材と、
上記被巻付部材が入る凹溝を底面に有し、その底面で該エアドームの外周部を下側の被取付面に押し付ける給排水可能な容器とを具備することを特徴とするエアドーム固定装置。
【請求項２】
請求項１に記載のエアドーム固定装置において、
前記エアドームは、外周部が固定されてエア吹込みにより凸状に変形されるシートと、該シートの上側に設けられかつ外周部が固定されて該シートの広がりを抑制するためのネットとを有し、
前記被巻付部材としてシート用とネット用の２つ備え、かつ前記容器の底面にはシート用被巻付部材とネット用被巻付部材のそれぞれが別々に入る一対の凹溝が形成されていることを特徴とするエアドーム固定装置。
【請求項３】
請求項２に記載のエアドーム固定装置において、
前記ネットの上側にはネットを固定するためのロープが設けられ、そのロープが前記容器に形成されたロープ取付部に係止されることを特徴とするエアドーム固定装置。
【請求項４】
請求項３に記載のエアドーム固定装置において、
前記容器の天井面に形成された持運び用取手が前記ロープ取付部に兼用されていることを特徴とするエアドーム固定装置。
【請求項５】
請求項１乃至４のいずれか一つに記載のエアドーム固定装置に用いられる給排水可能な容器であって、
上記エアドームの外周部が巻き付けられる被巻付部材が入る凹溝を底面に有し、その底面で該エアドームの外周部を下側の被取付面に押し付けるように構成されていることを特徴とする容器。
【発明の詳細な説明】
【技術分野】
【０００１】
本発明は、例えばプールの外側を覆うように設けられるエアドームの下端部を固定するためのエアドーム固定装置および給排水可能な容器に関する。
【背景技術】
【０００２】
上述したエアドームを固定する手法として、エアドームの下端部を被固定面にアンカーにより係止する手法が知られている（例えば特許文献１参照）。
【特許文献１】特開昭４８−１４８９１号公報
【発明の開示】
【発明が解決しようとする課題】
【０００３】
しかしながら、上述したようにアンカーによりエアドームの下端部を固定する場合には、アンカーを打ち込むためのスペースや、打ち込み可能な地面などが要求され、エアドームの下端部を固定する箇所に種々の制限があった。
【０００４】
本発明は、このような従来技術の課題を解決するためになされたものであり、エアドームの下端部を固定する際の制限を少なくすることができるエアドーム固定装置および容器を提供することを目的とする。
【課題を解決するための手段】
【０００５】
本発明のエアドーム固定装置は、エア吹込みにより凸状に変形されるエアドームの外周部を固定するための固定装置であって、上記エアドームの外周部が巻き付けられる被巻付部材と、上記被巻付部材が入る凹溝を底面に有し、その底面で該エアドームの外周部を下側の被取付面に押し付ける給排水可能な容器とを具備することを特徴とする。
【０００６】
請求項２のエアドーム固定装置は、請求項１に記載のエアドーム固定装置において、前記エアドームは、外周部が固定されてエア吹込みにより凸状に変形されるシートと、該シートの上側に設けられかつ外周部が固定されて該シートの広がりを抑制するためのネットとを有し、前記被巻付部材としてシート用とネット用の２つ備え、かつ前記容器の底面にはシート用被巻付部材とネット用被巻付部材のそれぞれが別々に入る一対の凹溝が形成されていることを特徴とする。
【０００７】
請求項３のエアドーム固定装置は、請求項２に記載のエアドーム固定装置において、前記ネットの上側にはネットを固定するためのロープが設けられ、そのロープが前記容器に形成されたロープ取付部に係止されることを特徴とする。
【０００８】
請求項４のエアドーム固定装置は、請求項３に記載のエアドーム固定装置において、前記容器の天井面に形成された持運び用取手が前記ロープ取付部に兼用されていることを特徴とする。
【０００９】
請求項５の容器は、請求項１乃至４のいずれか一つに記載のエアドーム固定装置に用いられる給排水可能な容器であって、上記エアドームの外周部が巻き付けられる被巻付部材が入る凹溝を底面に有し、その底面で該エアドームの外周部を下側の被取付面に押し付けるように構成されていることを特徴とする。
【発明の効果】
【００１０】
本発明の固定装置または容器による場合には、エアドームの外周部が巻き付けられた被巻付部材が凹溝に入る状態で、容器をエアドーム外周部の上に載せる。この状態において、給水により容器を重くしておくことで、エアドーム外周部を容器の底面で被取付面に押付けることができる。また、エアドームの外周部を被巻付部材に巻き付ける、例えば少なくとも１重以上で巻き付けることにより、エアドームに外周部が内側へ引っ張られて容器の底面から抜出る力が作用しても、被巻付部材に巻付けられたエアドーム外周部が巻き締まるとともに被巻付部材が凹溝内に保持される。その結果、エアドーム外周部を容器の底面で固定することが可能になる。よって、アンカーによりエアドームの下端部を固定する場合のようにアンカーを打ち込むためのスペースや、打ち込み可能な地面などの要求がなく、エアドームの下端部を固定する際の制限を少なくすることができる。
【００１１】
請求項２による場合には、エアドームがシートとネットとからなるときに、シートとネットの外周部を各被巻付部材に巻き付け、これら２つの被巻付部材のそれぞれが凹溝に入った状態でエアドームの外周部の上に給水状態の重い容器を載せることで、エアドーム外周部を容器の底面で固定することができる。
【００１２】
請求項３による場合には、更にネットの上側にネットを固定するためのロープを設ける構成のときは、そのロープを容器に形成されたロープ取付部に係止することで、容易にロープの固定が可能になる。
【００１３】
請求項４による場合には、容器の天井面に形成された持運び用取手をロープ取付部に兼用することにより、ロープ取付部を別途設ける必要がなく、容器の構成を簡略にすることができる。
【発明を実施するための最良の形態】
【００１４】
以下に、本発明を具体的に説明する。
【００１５】
図１は本発明のエアドーム固定装置をプール覆い用のエアドームに適用した例を示す斜視図、図２はそのエアドームを固定する本実施形態に係るエアドーム固定用容器を示す正面図である。
【００１６】
このエアドーム１は、図１に示すように矩形状をしたプール２の周囲を取り囲むように設けられていて、内側にエアを吹き込み膨らませた概略蒲鉾形状に形成されており、エアドーム１の下端部３は矩形状をなしてプールサイドである被取付面４に固定されている。また、エアドーム１は、図２に示すように内側からシート５とネット６とを有する構成であり、シート５とネット６はエアドーム１と同様の形状とされている。このエアドーム１のネット６の上には、ネット６を固定するためのロープ７が、例えば図１に一点鎖線で示されるようにエアドーム１を横切るように張り巡らされる。更に、エアドーム１の側面には共に図示しない出入り口とエア吹込み用の送風機とが設けられる。
【００１７】
シート５の外周部５ａ、ネット６の外周部６ａおよびロープ７の係止部７ａは、それぞれエアドーム固定用容器１０に固定されている。なお、係止部７ａとしては、ロープ７の端部または途中部分が該当する。
【００１８】
上記容器１０は、エアドーム固定用の給排水可能な軽量なものであって、例えば合成樹脂により作製されている。上部には給水栓１１が設けられ、下部には排水栓１２が設けられていて、エアドーム１の下端部３の固定を行うときには給水され、上記固定を行わないときは排水される。また、天井面１０ａには取手１３が形成され、底面１０ｂには２つの凹溝１４、１５が形成されている。更に、底面１０ｂの両端１０ｃは、角落としにより丸く形成されていて、シート５およびネット６の傷付き防止を図っている。
【００１９】
容器１０の大きさは、水量により重量が決まるので、エアドーム１の下端部３の全長に対して容器１０を何個配置するかを考慮して決定すればよい。なお、水を一杯に入れても容器１０の重量が下端部３の固定に足りない場合は、容器１０を配置するピッチを短くすることで対応可能である。
【００２０】
上記取手１３は、容器１０の持運び用として用いられるとともに、ロープ７の係止部７ａを固定するためのロープ取付部としても用いられる。このとき、ロープ７の係止部７ａには、取手１３に係止されるフック（図示せず）を取付けておくと、ロープ７の係止部７ａを簡単に取手１３に係止させ得る。
【００２１】
図２および図３に示すように、凹溝１４には、シート５の外周部５ａが巻き付けられた、断面形状で四隅を有する被巻付部材２０、例えばＣ形鋼が入れられ、凹溝１５には、ネット６の外周部６ａが巻き付けられた、断面形状で四隅を有する被巻付部材２１、例えばＣ形鋼が入れられる。凹溝１４の深さＬ１は、図３に示すように被巻付部材２０に巻き付けたシート５の外周部５ａの下面と上面との離隔寸法Ｌ２よりも若干長い寸法に設定され、凹溝１５の深さＬ３は、被巻付部材２１に巻き付けたネット６の外周部６ａの下面と上面との離隔寸法Ｌ４よりも若干長い寸法に設定される。これにより、容器１０を給水により重くしておくことで、底面１０ｂにおける凹溝１４、１５以外の部分で、シート５の外周部５ａとネット６の外周部６ａが被取付面４に上から押し付けられる。
【００２２】
上記外周部５ａが巻き付けられた被巻付部材２０と、外周部６ａが巻き付けられた被巻付部材２１とは、図４に示すようにエアドーム１の矩形状をした下端部３の一辺が延びる方向Ａに平行に並べられ、かつ、方向Ａに対して交差する方向、例えば直交方向に所定距離だけ離隔して配される。そして、両被巻付部材２０、２１に凹溝１４、１５が入る状態で、容器１０を上側から載せることで、以下の作用を発生させる。すなわち、被巻付部材２０、２１が凹溝１４、１５内に保持されることに加えて、シート５の外周部５ａとネット６の外周部６ａが内側に引っ張られて容器１０の底面１０ｂから抜出る力が作用しても、シート５の外周部５ａとネット６の外周部６ａのそれぞれを被巻付部材２０、２１に、例えば少なくとも１重以上で巻き付けておくことにより、被巻付部材２０、２１に巻付けられた外周部５ａ、６ａが巻き締まる。なお、被巻付部材２０、２１としては、引っ張られることで巻き締まりを起こり易くする点で、断面が円形などよりも四隅を有するものが好ましく、特にその四隅も角張っているものが望ましい。
【００２３】
このように構成された本実施形態のエアドーム固定装置によるエアドームの組立内容について説明する。
【００２４】
プール２の周りに外周部５ａが位置するようにシート５を置き、その外周部５ａを被巻付部材２０に少なくとも１重以上で巻き付ける。続いて、シート５の上にネット６を被せ、ネット６の外周部６ａを被巻付部材２１に少なくとも１重以上で巻き付ける。このとき、両被巻付部材２０、２１は、図４で説明したように配置する。
【００２５】
続いて、両被巻付部材２０、２１が凹溝１４、１５に入る状態で容器１０をネット６の外周部６ａの上に載せる。
【００２６】
その後、図示しない送風機を回転させ、シート５の下にエアを吹き込む。これにより、シート５が上側に膨らんで概略蒲鉾形状になるとともに、ネット６もシート５と同様の形状となる。なお、エアを吹き込む前に、容器１０を給水により重くしておく。給水のタイミングは、容器１０をネット６の外周部６ａの上に載せる前でも後でもよい。
【００２７】
しかる後、ネット６の上側にロープ７を張り巡らせ、ロープ７の係止部７ａを容器１０の取手１３に繋ぐ。ここで、取手１３に繋ぐ係止部７ａとしては、ロープ７が長尺である場合にはロープ７の両端部と１または２以上の途中部分とに相当し、逆に、ロープ７が短尺である場合にはロープ７の両端部のみが相当することもある。
【００２８】
したがって、本実施形態による場合には、エアドーム１を構成するシート５とネット６の外周部５ａ、６ａが巻き付けられた被巻付部材２０、２１が凹溝１４、１５に入る状態で、容器１０を外周部５ａ、６ａの上に載せる。この状態において、給水により容器１０を重くしておくことで、外周部５ａ、６ａを容器１０の底面１０ｂ（凹溝１４、１５を除く底面１０ｂ部分）で被取付面４に押し付けることができる。また、シート５とネット６の外周部５ａ、６ａを被巻付部材２０、２１に、例えば少なくとも１重以上、好ましくは２重以上で巻き付けることにより、シート５とネット６に、外周部５ａ、６ａが内側へ引っ張られて容器１０の底面１０ｂから抜出る力が作用しても、被巻付部材２０、２１に巻付けられた外周部５ａ、６ａが巻き締まるとともに被巻付部材２０、２１が凹溝１４、１５内に保持される。その結果、シート５とネット６の外周部５ａ、６ａを容器１０の底面１０ｂで固定することが可能になる。よって、アンカーによりエアドームの下端部を固定する場合のようにアンカーを打ち込むためのスペースや、打ち込み可能な地面などの要求がなく、エアドーム１の下端部３を固定する際の制限を少なくすることができる。
【００２９】
なお、上述した実施形態では前記Ｌ１を前記Ｌ２よりも若干長い寸法に設定し、かつ前記Ｌ３を前記Ｌ４よりも若干長い寸法に設定し、外周部５ａ、６ａを容器１０の底面１０ｂ（凹溝１４、１５を除く底面１０ｂ部分）で被取付面４に押し付けるようにしているが、本発明はこれに限らず、前記Ｌ１を前記Ｌ２とほぼ同一寸法に設定し、かつ前記Ｌ３を前記Ｌ４とほぼ同一寸法に設定し、凹溝１４、１５を含む底面１０ｂの全域で外周部５ａ、６ａを被取付面４に押し付けるようにしてもよい。
【００３０】
また、上述した実施形態ではシートとネットが別体となったエアドームの固定に適用しているが、本発明はこれに限らず、シートとネットが一体化されたエアドームの固定にも同様に適用することができる。この場合には、被巻付部材は１つでよく、容器の底面に設ける凹溝も１つでよい。
【００３１】
更に、上述した実施形態ではロープ取付部としても兼用する持運び用取手の位置を天井面としているが、本発明はこれに限らず、天井面に繋がる４側面のうちのいずれか１面または２面以上にしてもよい。このとき、２面以上に取手を設けておいても、そのうちの一部を係止部として用い、残りを係止部として用いないような使い方をしても構わない。要は、ロープの係止に便利な箇所の取手のみを使用するようにしても構わない。
【００３２】
更にまた、上述した実施形態では矩形状のプールを覆う矩形状のエアドームを固定する例につき説明しているが、本発明はこれに限らない。例えば、円形のプールを覆う円形のエアドームを固定する場合にも適用できる。更には、プールに限らず、運動場や菜園などを覆うエアドームの固定にも同様に適用することができる。
【図面の簡単な説明】
【００３３】
【図１】本発明のエアドーム固定装置をプール覆い用のエアドームに適用した例を示す斜視図である。
【図２】本発明の一実施形態に係るエアドーム固定用容器を示す正面図である。
【図３】被巻付部材を示す平面図である。
【図４】シートとネットの外周部がそれぞれ巻き付けられる被巻付部材の配置を示す平面図である。
【符号の説明】
【００３４】
１    エアドーム
２    プール
３    下端部
４    被取付面
５    シート
５ａ    外周部
６    ネット
６ａ    外周部
７    ロープ
７ａ    係止部
１０    容器
１０ａ    天井面
１０ｂ    底面
１３    取手（ロープ取付部）
１４、１５    凹溝
２０、２１    被巻付部材
【図１】
2007284944.tif 000003
【図２】
2007284944.tif 000004
【図３】
2007284944.tif 000005
【図４】
2007284944.tif 000006